(57)【要約】【課題】窓側幕体及び室内側幕体の下端縁が巻取り上限位置又は繰出し下限位置のいずれに達しても、窓側巻取パイプ及び室内側巻取パイプ間の隙間からの光の進入を遮る。【解決手段】支持バー１５の両端に取付けられた一対の支持部材１３，１４の上部かつ窓側に窓側巻取パイプ１６が回転可能に取付けられ、一対の支持部材の下部かつ室内側に室内側巻取パイプ１７が回転可能に取付けられる。窓側巻取パイプに上縁が固定された窓側幕体１８が窓側巻取パイプに巻取られ、室内側巻取パイプに上縁が固定された室内側幕体１９が室内側巻取パイプに巻取られる。支持バーがバー本体１５ａとカバー部１５ｂとを有し、カバー部の幅と略同一の幅を有する光漏れ防止部材２０の基端縁がカバー部の内面に回動可能に取付けられる。光漏れ防止部材の先端縁近傍が室内側巻取パイプの上面又は室内側巻取パイプに巻取られた室内側幕体の上面に常に接触するように構成される。【選択図】図１
2019143365.tif 000002
【特許請求の範囲】
【請求項１】
壁、窓枠又は天井に複数のブラケットを介して取付けられかつ両端に一対の支持部材が取付けられた単一の支持バーと、前記一対の支持部材の上部かつ窓側に回転可能に取付けられた窓側巻取パイプと、前記一対の支持部材の下部かつ室内側に回転可能に取付けられた室内側巻取パイプと、前記窓側巻取パイプに上縁が固定され前記窓側巻取パイプに繰出し可能に巻取られる窓側幕体と、前記室内側巻取パイプに上縁が固定され前記室内側巻取パイプに繰出し可能に巻取られる室内側幕体とを備えたロールスクリーンにおいて、
前記支持バーが、前記窓側巻取パイプ及び前記室内側巻取パイプと平行に設けられ前記ブラケットに係止されるバー本体と、このバー本体の室内側の側縁から垂下されたカバー部とを有し、
前記カバー部の幅と略同一の幅を有する光漏れ防止部材の基端縁が前記カバー部の内面に回動可能に取付けられ、
前記光漏れ防止部材の先端縁近傍が前記室内側巻取パイプの上面又は前記室内側巻取パイプに巻取られた前記室内側幕体の上面に常に接触するように構成された
ことを特徴とするロールスクリーン。
【請求項２】
前記カバー部の下端縁が前記室内側巻取パイプの上面より所定の距離だけ上方又は下方に位置するように構成され、前記光漏れ防止部材の基端縁がヒンジ部材を介して前記カバー部の内面に回動可能に取付けられ、前記ヒンジ部材が、前記カバー部の内面に水平方向に延びて形成されたヒンジ用被係合部と、前記光漏れ防止部材の基端縁に形成され前記ヒンジ用被係合部に相対的に回動可能に係合するヒンジ用係合部とを有し、前記光漏れ防止部材の先端縁近傍が前記室内側巻取パイプの上面又は前記室内側巻取パイプに巻取られた前記室内側幕体の上面にその自重により常に接触するように構成された請求項１記載のロールスクリーン。
【請求項３】
前記ヒンジ用被係合部が横断面略伏せＣ字状に形成され、前記ヒンジ用係合部が横断面略Ｔ字状に形成され、前記ヒンジ用係合部のＴ字の頂部が前記ヒンジ用被係合部のＣ字の内部に収容された請求項２記載のロールスクリーン。
【発明の詳細な説明】
【技術分野】
【０００１】
本発明は、２本の巻取パイプを有するロールスクリーンに関する。更に詳しくは、窓側幕体の上端が固定された窓側巻取パイプと、室内側幕体の上端が固定された室内側巻取パイプとを有し、これらの巻取パイプ間に隙間が設けられたロールスクリーンに関するものである。
【背景技術】
【０００２】
従来、一対のサイドプレートの間に２つの巻取パイプが配置され、各巻取パイプにスクリーンの一端が巻取り及び繰出し可能に連結されており、上方かつ正面側に配置される一方の巻取パイプに連結されるスクリーンは、正面側から昇降するようになっており、かつその巻取り上限位置において、それぞれの巻取パイプに巻取られたスクリーンの巻取部分同士の間で形成される上下方向の隙間を正面から見て覆い隠すように、その巻取上限位置が設定されたロールスクリーンが開示されている（例えば、特許文献１参照。）。
【０００３】
このように構成されたロールスクリーンでは、一方の巻取パイプに連結されたスクリーンの巻取り上限位置において、そのスクリーンの巻取パイプに巻取られていないスクリーン部分が、上記隙間を覆い隠すため、この隙間からの光漏れを防止できる。また、一方の巻取パイプに連結されたスクリーンを、正面側から昇降するように巻取パイプに巻取り及び繰出し可能に連結すると、スクリーンの巻取り上限位置において、そのスクリーンの巻取パイプに巻取られていないスクリーン部分が、よりバランス的な役目を果たして、意匠性をより良好にすることができる。
【先行技術文献】
【特許文献】
【０００４】
【特許文献１】特許第３７６５９９６号公報（請求項１、段落［０００８］、図１、図２）
【発明の概要】
【発明が解決しようとする課題】
【０００５】
しかし、上記従来の特許文献１に示されたロールスクリーンでは、一方の巻取パイプに連結されたスクリーンをその巻取り上限位置まで巻取っても、そのスクリーンの巻取パイプからの展開長さ（垂れ下がり長さ）が比較的長いため、見栄えを損なうとともに、スクリーンの下縁に設けられたウエイトバーが他方の巻取パイプの下面より下方に位置するため、窓の最大開口面積を狭めてしまう不具合があった。
【０００６】
本発明の目的は、窓側幕体及び室内側幕体の下端縁が巻取り上限位置又は繰出し下限位置のいずれに達しても、或いは両位置の中間位置にあっても、窓側巻取パイプ及び室内側巻取パイプ間の隙間からの光の進入を遮ることができるとともに、窓側幕体及び室内側幕体の下端縁が巻取り上限位置に達したときの窓側幕体及び室内側幕体の見栄えを損なわず、かつ窓の最大開口面積を狭めることがない、ロールスクリーンを提供することにある。
【課題を解決するための手段】
【０００７】
本発明の第１の観点は、図１に示すように、壁１１、窓枠又は天井に複数のブラケット１２を介して取付けられかつ両端に一対の支持部材１３，１４が取付けられた単一の支持バー１５と、一対の支持部材１３，１４の上部かつ窓側に回転可能に取付けられた窓側巻取パイプ１６と、一対の支持部材１３，１４の下部かつ室内側に回転可能に取付けられた室内側巻取パイプ１７と、窓側巻取パイプ１６に上縁が固定され窓側巻取パイプ１６に繰出し可能に巻取られる窓側幕体１８と、室内側巻取パイプ１７に上縁が固定され室内側巻取パイプ１７に繰出し可能に巻取られる室内側幕体１９とを備えたロールスクリーン１０において、支持バー１５が、窓側巻取パイプ１６及び室内側巻取パイプ１７と平行に設けられブラケット１２に係止されるバー本体１５ａと、このバー本体１５ａの室内側の側縁から垂下されたカバー部１５ｂとを有し、カバー部１５ｂの幅と略同一の幅を有する光漏れ防止部材２０の基端縁がカバー部１５ｂの内面に回動可能に取付けられ、光漏れ防止部材２０の先端縁近傍が室内側巻取パイプ１７の上面又は室内側巻取パイプ１７に巻取られた室内側幕体１９の上面に常に接触するように構成されたことを特徴とする。
【０００８】
本発明の第２の観点は、第１の観点に基づく発明であって、更に図１に示すように、カバー部１５ｂの下端縁が室内側巻取パイプ１７の上面より所定の距離だけ上方又は下方に位置するように構成され、光漏れ防止部材２０の基端縁がヒンジ部材２１を介してカバー部１５ｂの内面に回動可能に取付けられ、ヒンジ部材２１が、カバー部１５ｂの内面に水平方向に延びて形成されたヒンジ用被係合部２１ａと、光漏れ防止部材２０の基端縁に形成されヒンジ用被係合部２１ａに相対的に回動可能に係合するヒンジ用係合部２１ｂとを有し、光漏れ防止部材２０の先端縁近傍が室内側巻取パイプ１７の上面又は室内側巻取パイプ１７に巻取られた室内側幕体１９の上面にその自重により常に接触するように構成されたことを特徴とする。
【０００９】
本発明の第３の観点は、第２の観点に基づく発明であって、更に図１〜図３に示すように、ヒンジ用被係合部２１ａが横断面略伏せＣ字状に形成され、ヒンジ用係合部２１ｂが横断面略Ｔ字状に形成され、ヒンジ用係合部２１ｂのＴ字の頂部がヒンジ用被係合部２１ａのＣ字の内部に収容されたことを特徴とする。
【発明の効果】
【００１０】
本発明の第１の観点のロールスクリーンでは、支持バーのカバー部の幅と略同一の幅を有する光漏れ防止部材の基端縁をカバー部の内面に回動可能に取付け、光漏れ防止部材の先端縁近傍が室内側巻取パイプの上面又は室内側巻取パイプに巻取られた室内側幕体の上面に常に接触するように構成したので、窓側幕体及び室内側幕体を窓側巻取パイプ及び室内側巻取パイプにそれぞれ巻取って、窓側幕体及び室内側幕体の下端縁が巻取り上限位置にそれぞれ達したときに、室外の直射光が窓側巻取パイプ及び室内側巻取パイプ間の隙間を通って室内に進入しようとしても、この直射光は光漏れ防止部材及びカバー部により遮られる。また、窓側幕体が光を透過可能な幕体、即ち透光可能な幕体であり、室内側幕体が光を遮蔽可能な幕体、即ち遮光可能な幕体である場合に、室内側幕体の下端縁が繰出し下限位置に達し、かつ窓側幕体の下端縁が巻取り上限位置に達するか、中間位置にあるか、或いは繰出し下限位置に達したとき、透光可能な窓側幕体の下方を通過した光、或いは透光可能な窓側幕体を透過した光が窓側巻取パイプ及び室内側巻取パイプ間の隙間を通って室内に進入しようとしても、この光は光漏れ防止部材及びカバー部により遮られるとともに、室内側巻取パイプの下方から進入しようとする光は遮光可能な室内側幕体により遮られる。更に、窓側幕体及び室内側幕体の双方が光を遮蔽可能な幕体、即ち遮光可能な幕体である場合に、室内側幕体の下端縁が繰出し下限位置に達し、かつ窓側幕体の下端縁が巻取り上限位置に達したとき、透光可能な窓側幕体の下方を通過した光が窓側巻取パイプ及び室内側巻取パイプ間の隙間を通って室内に進入しようとしても、この光は光漏れ防止部材及びカバー部により遮られるとともに、室内側巻取パイプの下方から進入しようとする光は遮光可能な室内側幕体により遮られる。この結果、窓側幕体及び室内側幕体が巻取り上限位置又は繰出し下限位置のいずれに達しても、或いは両位置の中間位置にあっても、窓側巻取パイプ及び室内側巻取パイプ間の隙間からの光の進入を光漏れ防止部材及びカバー部により遮ることができる。一方、窓側幕体及び室内側幕体が巻取り上限位置に達したとき、窓側幕体の下端縁がバー本体の窓側の側縁近傍まで窓側巻取パイプに巻取られ、室内側幕体の下端縁がカバー部の下端縁近傍まで室内側巻取パイプに巻取られるため、窓側幕体及び室内側幕体の見栄えを損なわず、かつ窓の最大開口面積を狭めずに済む。
【００１１】
本発明の第２の観点のロールスクリーンでは、カバー部の下端縁を室内側巻取パイプの上面より所定の距離だけ上方又は下方に位置するように構成し、光漏れ防止部材の基端縁をヒンジ部材を介してカバー部の内面に回動可能に取付け、カバー部の内面に形成されたヒンジ用被係合部に、光漏れ防止部材の基端縁に形成されたヒンジ用係合部を相対的に回動可能に係合し、更に光漏れ防止部材の先端縁近傍が室内側巻取パイプの上面又は室内側巻取パイプに巻取られた室内側幕体の上面にその自重により常に接触するように構成したので、比較的簡単な構造で窓側巻取パイプ及び室内側巻取パイプ間の隙間からの光の進入を光漏れ防止部材及びカバー部により遮ることができる。
【００１２】
本発明の第３の観点のロールスクリーンでは、ヒンジ用係合部のＴ字の頂部をヒンジ用被係合部のＣ字の内部に収容したので、ヒンジ用係合部がヒンジ用被係合部から外れることがなく、ヒンジ用係合部のＴ字の頂部がヒンジ用被係合部のＣ字の内部を低摩擦抵抗で摺動できる。即ち、光漏れ防止部材とカバー体との係合が外れず、光漏れ防止部材がヒンジ部材を中心にスムーズに回動できる。
【図面の簡単な説明】
【００１３】
【図１】本発明第１実施形態のロールスクリーンの窓側幕体及び室内側幕体が繰出し下限位置に達した状態を示す図４のＡ−Ａ線断面図である。
【図２】そのロールスクリーンの窓側幕体及び室内側幕体が巻取り上限位置に達した状態を示す図１に対応する断面図である。
【図３】（ａ）は図１のＢ部拡大断面図であり、（ｂ）は図２のＣ部拡大断面図である。
【図４】そのロールスクリーンの窓側幕体及び室内側幕体が繰出し下限位置に達した状態を示す図１のＤ−Ｄ線正面図である。
【図５】本発明第２実施形態のロールスクリーンの窓側幕体及び室内側幕体が繰出し下限位置に達した状態を示す図７のＥ−Ｅ線断面図である。
【図６】そのロールスクリーンの窓側幕体及び室内側幕体が巻取り上限位置に達した状態を示す図５に対応する断面図である。
【図７】そのロールスクリーンの窓側幕体及び室内側幕体が繰出し下限位置に達した状態を示す図５のＦ−Ｆ線断面図である。
【発明を実施するための形態】
【００１４】
次に本発明を実施するための形態を図面に基づいて説明する。
【００１５】
＜第１の実施の形態＞
図１及び図４に示すように、ロールスクリーン１０は、壁１１に２つのブラケット１２，１２を介して取付けられかつ両端に一対の支持部材１３，１４が取付けられた単一の支持バー１５と、一対の支持部材１３，１４の上部かつ窓側に回転可能に取付けられた窓側巻取パイプ１６と、一対の支持部材１３，１４の下部かつ室内側に回転可能に取付けられた室内側巻取パイプ１７と、窓側巻取パイプ１６に上縁が固定された窓側幕体１８と、室内側巻取パイプ１７に上端が固定された室内側幕体１９とを備える。ブラケット１２は、図１に詳しく示すように、略Ｌ字状に形成された壁取付部１２ａと、この壁取付部１２ａの突出端下面に取付けられたバー保持部１２ｂとを有する。バー保持部１２ｂには室内側から窓側の方向に所定の間隔をあけて一対の被係止部１２ｃ,１２ｃが形成される。これらの被係止部１２ｃ，１２ｃは互いに近付く方向に図示しないばねにより付勢される。上記一対の被係止部１２ｃ，１２ｃは、この実施の形態では、互いに向き合う爪状にそれぞれ形成される。
【００１６】
支持バー１５は、窓側巻取パイプ１６及び室内側巻取パイプ１７と平行に設けられ上記一対の被係止部１２ｃ，１２ｃに係止可能な一対の係止部１５ｃ，１５ｃが形成されたバー本体１５ａと、このバー本体１５ａの室内側の側縁から垂下されたカバー部１５ｂとを有する（図１及び図２）。上記一対の係止部１５ｃ，１５ｃは室内側から窓側の方向に所定の間隔をあけて形成される。また、上記一対の係止部１５ｃ，１５ｃは、この実施の形態では、互いに反対方向を向く凹溝状に形成される。更に、カバー部１５ｂの下端縁は、室内側巻取パイプ１７の上面より所定の距離だけ上方又は下方に位置するように構成されることが好ましい。具体的には、カバー部１５ｂの下端縁が室内側巻取パイプ１７の上面より所定の距離だけ上方に位置する場合とは、カバー部１５ｂの下端縁が室内側巻取パイプ１７の上面を含む水平面と窓側巻取パイプ１６の下面を含む水平面との間に位置する場合をいう。また、カバー部１５ｂの下端縁が室内側巻取パイプ１７の上面より所定の距離だけ下方に位置する場合とは、カバー部１５ｂの下端縁が室内側巻取パイプ１７の上面を含む水平面と室内側巻取パイプ１７の中心軸を含む水平面との間に位置する場合をいう。即ち、カバー部１５ｂの下端縁が窓側巻取パイプ１６の下面を含む水平面と室内側巻取パイプ１７の中心軸を含む水平面との間に位置することが好ましい。ここで、カバー部１５ｂの下端縁を上記位置に限定したのは、後述のヒンジ部材のカバー部１５ｂ内面への取付け箇所を確保し、後述の光漏れ防止部材がヒンジ部材を中心として室内側巻取パイプ１７表面又はこのパイプ１７に巻取られた室内側幕体１９上面に常に接触しながらスムーズに回動するようにし、更に光漏れ防止部材又はカバー部１５ｂによる窓側巻取パイプ１６及び室内側巻取パイプ１７間の隙間を通過する光を確実に遮蔽できるようにするためである。
【００１７】
一方、窓側幕体１８は、この実施の形態では、光を透過可能な幕体、即ち透光可能な幕体である。この透光可能な窓側幕体１８は、透明及び半透明の双方を含むものであり、生地の組成や編成を粗にすることにより通風も可能に形成される。また、透光可能な窓側幕体１８は光透過率４０〜９５％、好ましくは６０〜９５％のメッシュ状生地により形成される。ここで、窓側幕体１８の光透過率を４０〜９５％の範囲内に限定したのは、４０％未満では所望の採光量が得られず、９５％を超えると窓側幕体１８の強度が低下してしまうからである。室内側幕体１９は、光を透過不能な幕体、即ち遮光可能な幕体であり、生地にアルミ等からなる金属箔を貼付けることや、繊維の密度を上げることにより作られる。また、窓側巻取パイプ１６の外周面には、窓側巻取パイプ１６の長手方向にこの窓側巻取パイプ１６の全長にわたって延びる窓側凹条１６ａが形成され、この窓側凹条１６ａには窓側固定部材１６ｂが挿入される。室内側巻取パイプ１７の外周面には、室内側巻取パイプ１７の長手方向にこの室内側巻取パイプ１７の全長にわたって延びる室内側凹条１７ａが形成され、この室内側凹条１７ａには室内側固定部材１７ｂが挿入される。更に、窓側幕体１８の上端は窓側固定部材１６ｂに縫製又は両面粘着テープ等を用いた貼付け（図示せず）により固定され、室内側幕体１９の上端は室内側固定部材１７ｂに縫製又は両面粘着テープ等を用いた貼付け（図示せず）により固定される。
【００１８】
図３に示すように、室内側凹条１７ａの一側縁には、この室内側凹条１７ａ内に突出する室内側突条１７ｃが突設され、室内側凹条１７ａの他側縁には、この室内側凹条１７ａの開口部の一部を覆う室内側庇部１７ｄが突設される。また、室内側固定部材１７ｂは、幅が開口部の幅より広くかつ室内側凹条１７ａの幅より狭いフラットバー状の室内側固定本体１７ｅと、この室内側固定本体１７ｅの一側縁に設けられ室内側突条１７ｃに嵌入可能な略Ｕ字状の室内側嵌入部１７ｆとを有する。この室内側固定部材１７ｂを室内側凹条１７ａに挿入するときは、室内側固定本体１７ｅの下面に室内側幕体１９の上端を固定した後に、室内側固定本体１７ｅの両側縁うち室内側嵌入部１７ｆが設けられていない他側縁を室内側庇部１７ｄの下側に潜り込ませるように室内側凹条１７ａに挿入した後、室内側嵌入部１７ｆを室内側突条１７ｃに嵌入することにより行う。また、室内側固定部材１７ｂを室内側凹条１７ａから取外すときは、室内側嵌入部１７ｆのうち室内側凹条１７ａから突出している部分を室内側庇部１７ｄに向って押すことにより、室内側嵌入部１７ｆが室内側突条１７ｃから離脱させ、この状態で室内側嵌入部１７ｆを引上げることにより、室内側固定部材１７ｂを室内側凹条１７ａから取外すことができる。このように室内側固定部材１７ｂを室内側凹条１７ａの一端から挿入する必要がないので、室内側巻取パイプ１７を取外すことなく、室内側幕体１９の室内側巻取パイプ１７への取付け作業及び取外し作業を行うことができる。一方、窓側凹条１６ａの一側縁には、この窓側凹条１６ａ内に突出する窓側突条（図示せず）が突設され、窓側凹条１６ａの他側縁には、この窓側凹条１６ａの開口部の一部を覆う窓側庇部（図示せず）が突設される。また、窓側固定部材１６ｂは、幅が開口部の幅より広くかつ窓側凹条１６ａの幅より狭いフラットバー状の窓側固定本体（図示せず）と、この窓側固定本体の一側縁に設けられ窓側突条に嵌入可能な略Ｕ字状の窓側嵌入部（図示せず）とを有する。この窓側固定部材１６ｂを窓側凹条１６ａに挿入するときは、上記室内側固定部材１７ｂを室内側凹条１７ａに挿入するときと同様の手順で行う。また、窓側固定部材１６ｂを窓側凹条１６ａから取外すときは、上記室内側固定部材１７ｂを室内側凹条１７ａから取外すときと同様の手順で行う。
【００１９】
一方、カバー部１５ｂの内面には、カバー部１５ｂの幅と略同一の幅を有する光漏れ防止部材２０の基端縁が回動可能に取付けられる（図１〜図３）。この実施の形態では、カバー部１５ｂの内面に、光漏れ防止部材２０の基端縁がヒンジ部材２１を介して回動可能に取付けられる。このヒンジ部材２１は、カバー部１５ｂの内面に水平方向に延びて形成されたヒンジ用被係合部２１ａと、光漏れ防止部材２０の基端縁に形成されヒンジ用被係合部２１ａに相対的に回動可能に係合するヒンジ用係合部２１ｂとを有する。ヒンジ用被係合部２１ａは横断面略伏せＣ字状に形成され、ヒンジ用係合部２１ｂは横断面略Ｔ字状に形成される。そして、ヒンジ用係合部２１ｂのＴ字の頂部がヒンジ用被係合部２１ａのＣ字の内部に収容される。この状態で光漏れ防止部材２０がヒンジ部材２１を中心に回動することにより、光漏れ防止部材２０の先端縁近傍が室内側巻取パイプ１７の上面又は室内側巻取パイプ１７に巻取られた室内側幕体１９の上面にその自重により常に接触するように構成される。
【００２０】
一方、窓側巻取パイプ１６及び室内側巻取パイプ１７は互いに平行に配置され、窓側巻取パイプ１６は室内側巻取パイプ１７に対して窓側にオフセットして設けられる（図１及び図２）。また、窓側巻取パイプ１６及び室内側巻取パイプ１７には、窓側巻取ばね２２及び室内側巻取ばね２３がそれぞれ内蔵され、窓側巻取パイプ１６及び室内側巻取パイプ１７は単一の操作部材２４により正転又は逆転するように構成される（図４）。上記窓側巻取ばね２２及び室内側巻取ばね２３には窓側幕体１８及び室内側幕体１９を窓側巻取パイプ１６及び室内側巻取パイプ１７に巻取る方向に窓側巻取パイプ１６及び室内側巻取パイプ１７を回転させるための付勢力がそれぞれ蓄えられる。また、単一の操作部材２４は、この実施の形態では、単一のリング状の操作チェーンであり、この操作チェーン２４は、窓側幕体１８及び室内側幕体１９をそれぞれ繰出し又は巻取るために操作される。
【００２１】
窓側幕体１８及び室内側幕体１９の下端には、窓側ウエイトバー２６及び室内側ウエイトバー２７がそれぞれ取付けられる。窓側ウエイトバー２６は、窓側幕体１８が窓側巻取パイプ１６に巻取られていくと、バー本体１５ａの窓側の側縁に当接し、室内側ウエイトバー２７は、室内側幕体１９が室内側巻取パイプ１７に巻取られていくと、カバー部１５ｂの下端縁に当接するように構成される。また、バー本体１５ａの窓側の側縁には、窓側ウエイトバー２６が当接可能なゴム製又は軟質プラスチック製の窓側クッションバー２８が取付けられ（図１及び図２）、カバー部１５ｂの下端縁には、室内側ウエイトバー２７が当接可能なゴム製又は軟質プラスチック製の室内側クッションバー２９が取付けられる。窓側クッションバー２８は、バー本体１５ａの窓側の側縁に沿うように延びて設けられ、バー本体１５ａの窓側の側縁内面に取付けられる窓側取付部２８ａと、この窓側取付部２８ａと一体的に設けられバー本体１５ａの窓側の側縁下面に当接する弾性変形可能な窓側筒状部２８ｂとを有する。この窓側クッションバー２８の窓側筒状部２８ｂには、窓側ウエイトバー２６が当接可能に構成される（図２）。更に、室内側クッションバー２９はカバー部１５ｂの下端縁に沿うように延びて設けられ、カバー部１５ｂの下端縁内面に取付けられる室内側取付部２９ａと、この室内側取付部２９ａと一体的に設けられカバー部１５ｂの下端縁下面に当接する弾性変形可能な室内側筒状部２９ｂとを有する。この室内側クッションバー２９の室内側筒状部２９ｂには、室内側ウエイトバー２７が当接可能に構成される。なお、バー本体１５ａの窓側の側縁と、窓側幕体１８の殆ど全てが窓側巻取パイプ１６に巻取られたときの窓側巻取パイプ１６の外周面との隙間は、窓側ウエイトバー２６の外径より小さく形成される。また、カバー部１５ｂの下端縁と、室内側幕体１９の殆ど全てが室内側巻取パイプ１７に巻取られたときの室内側巻取パイプ１７の外周面との隙間は、室内側ウエイトバー２７の外径より小さく形成される。
【００２２】
一方、ロールスクリーン１０は、操作チェーン２４と窓側巻取パイプ１６との間に設けられた窓側回転伝達切換装置３１と、操作チェーン２４と室内側巻取パイプ１７との間に設けられた室内側回転伝達切換装置３２と、操作チェーン２４が巻き掛けられる単一のプーリ（図示せず）と、プーリと窓側回転伝達切換装置３１及び室内側回転伝達切換装置３２との間に設けられた歯車列（図示せず）とを更に備える（図４）。上記歯車列により、操作チェーン２４の操作力がプーリから窓側回転伝達切換装置３１及び室内側回転伝達切換装置３２に伝達されるようになっている。また、上記歯車列は歯車ケース３３に回転可能にそれぞれ収容され、この歯車ケース３３にビス（図示せず）により取付けられたプーリカバー３４に上記プーリが収容される。そして歯車ケース３３及びプーリカバー３４により一方の支持部材１３が構成される。
【００２３】
窓側回転伝達切換装置３１は、操作チェーン２４の室内側の操作部を引下げ操作したときにこの操作力を窓側巻取パイプ１６に伝達しかつ操作チェーン２４の窓側の操作部を引下げ操作したときにこの操作力を窓側巻取パイプ１６に伝達しないクラッチ機能と、操作チェーン２４の室内側の操作部の引下げ操作を停止することにより窓側巻取パイプ１６をその位置に一時的に固定するロック機能と、操作チェーン２４の室内側の操作部を僅かに引下げ操作することにより上記一時的な固定を解除するロック解除機能とを有する（図４）。また、室内側回転伝達切換装置３２は、操作チェーン２４の窓側の操作部を引下げ操作したときにこの操作力を室内側巻取パイプ１７に伝達しかつ操作チェーン２４の室内側の操作部を引下げ操作したときにこの操作力を室内側巻取パイプ１７に伝達しないクラッチ機能と、操作チェーン２４の窓側の操作部の引下げ操作を停止することにより室内側巻取パイプ１７をその位置に一時的に固定するロック機能と、操作チェーン２４の窓側の操作部を引下げ操作することにより上記一時的な固定を解除するロック解除機能とを有する。
【００２４】
このように構成されたロールスクリーン１０の動作を説明する。図１〜図４に示すように、操作チェーン２４の室内側の操作部を引下げ操作すると、この操作力は、プーリ及び歯車列を介して窓側回転伝達切換装置３１に伝達される。そして、窓側回転伝達切換装置３１において、歯車列の回転力は窓側筒状部２８ｂを介して窓側巻取パイプ１６に伝達され、窓側幕体１８が窓側巻取パイプ１６から繰出される。このように操作チェーン２４の室内側の操作部を引下げ操作すると、この操作力は室内側回転伝達切換装置３２に伝達されるけれども、室内側回転伝達切換装置３２のクラッチ機能により、室内側巻取パイプ１７には伝達されない。そして、窓側幕体１８が繰出し下限位置に達して、操作チェーン２４の引下げ操作を停止すると、窓側回転伝達切換装置３１のロック機能により窓側幕体１８がその位置で一時的に固定される。一方、操作チェーン２４の窓側の操作部を引下げ操作すると、この操作力は、プーリ及び歯車列を介して室内側回転伝達切換装置３２に伝達される。そして、室内側回転伝達切換装置３２において、歯車列の回転力は室内側筒状部２９ｂを介して室内側巻取パイプ１７に伝達され、室内側幕体１９が室内側巻取パイプ１７から繰出される。このように操作チェーン２４の室内側の操作部を引下げ操作すると、この操作力は窓側回転伝達切換装置３１に伝達されるけれども、窓側回転伝達切換装置３１のクラッチ機能により、窓側巻取パイプ１６には伝達されない。そして、室内側幕体１９が繰出し下限位置に達して、操作チェーン２４の引下げ操作を停止すると、室内側回転伝達切換装置３２のロック機能により遮光幕体１９がその位置で一時的に固定される。このように窓側幕体１８及び室内側幕体１９がそれぞれ繰出し下限位置に達すると、室外の直射光が窓側幕体１８を透過し窓側巻取パイプ１６及び室内側巻取パイプ１７間を通って室内に進入しようとするけれども、光漏れ防止部材２０の先端近傍が室内側巻取パイプ１７の上面に接触しているため、上記直射光は光漏れ防止部材２０及びカバー部１５ｂにより遮られて室内に進入しない。
【００２５】
次に、操作チェーン２４の室内側の操作部を僅かに引下げ操作した後に操作チェーン２４から手を放すと、窓側回転伝達切換装置３１のロック機能がロック解除機能により解除されて、窓側巻取ばね２２に蓄えられた付勢力により窓側巻取パイプ１６を窓側幕体１８の巻取り方向に回転させる。そして、窓側幕体１８は窓側巻取ばね２２の付勢力により窓側巻取パイプ１６に巻取られ続け、窓側ウエイトバー２６がバー本体１５ａの窓側の側縁に窓側クッションバー２８の窓側筒状部２８ｂを介し当接して停止する。これにより、窓側クッションバー２８の窓側筒状部２８ｂが弾性変形して上記当接時の衝撃を吸収できるとともに、その衝撃音を吸収して低減できる。ここで、窓側幕体１８の巻取り時に操作チェーン２４は停止した状態に保たれる。一方、操作チェーン２４の窓側の操作部を僅かに引下げ操作した後に操作チェーン２４から手を放すと、室内側回転伝達切換装置３２のロック機能がロック解除機能により解除されて、室内側巻取ばね２３に蓄えられた付勢力により室内側巻取パイプ１７を室内側幕体１９の巻取り方向に回転させる。そして、室内側幕体１９が室内側巻取ばね２３の付勢力により室内側巻取パイプ１７に巻取られて室内側ウエイトバー２７がカバー部１５ｂの下端縁に室内側クッションバー２９の室内側筒状部２９ｂを介して当接する。これにより、室内側クッションバー２９の室内側筒状部２９ｂが弾性変形して上記当接時の衝撃を吸収できるとともに、その衝撃音を吸収して低減できる。ここで、室内側幕体１９の巻取り時に操作チェーン２４は停止した状態に保たれる。このように窓側幕体１８及び室内側幕体１９がそれぞれ巻取り上限位置に達すると、室外の直射光が窓側巻取パイプ１６及び室内側巻取パイプ１７間を通って室内に進入しようとするけれども、光漏れ防止部材２０の先端近傍が室内側巻取パイプ１７に巻取られた室内側幕体１９の上面に接触しているため、上記直射光は光漏れ防止部材２０及びカバー部１５ｂにより遮られて室内に進入しない。
【００２６】
また、室内側幕体１９の下端縁が繰出し下限位置に達し、かつ窓側幕体１８の下端縁が巻取り上限位置に達するか、中間位置にあるか、或いは繰出し下限位置に達したとき、透光可能な窓側幕体１８の下方を通過した光、或いは透光可能な窓側幕体１８を透過した光が窓側巻取パイプ１６及び室内側巻取パイプ１７間の隙間を通って室内に進入しようとしても、この光は光漏れ防止部材２０及びカバー部１５ｂにより遮られるとともに、室内側巻取パイプ１７の下方から進入しようとする光は遮光可能な室内側幕体１９により遮られる。この結果、窓側幕体１８及び室内側幕体１９が巻取り上限位置又は繰出し下限位置のいずれに達しても、或いは両位置の中間位置にあっても、窓側巻取パイプ１６及び室内側巻取パイプ１７間の隙間からの光の進入を光漏れ防止部材２０及びカバー部１５ｎにより遮ることができる。
【００２７】
一方、窓側幕体１８が窓側巻取パイプ１６に巻取られていくと、窓側幕体１８の下端縁がバー本体１５ａの窓側の側縁近傍まで上昇し、窓側ウエイトバー２６が窓側クッションバー２８の窓側筒状体２８ｂに当接して、窓側幕体１８が巻取り上限位置に達する。また、室内側幕体１９が室内側巻取りパイプ１７に巻取られていくと、室内側幕体１９の下端縁がカバー部１５ｂの下端縁近傍まで上昇し、室内側ウエイトバー２７が室内側クッションバー２９の室内側筒状体２９ｂに当接して、室内側幕体１９が巻取り上限位置に達する。この結果、窓側幕体１８及び室内側幕体１９がそれぞれ巻取り上限位置に達したときに、窓側幕体１８又は室内側幕体１９のいずれか一方又は双方が中途半端に垂れ下がった状態にならないので、窓側幕体１８及び室内側幕体１９の巻取り上限位置における見栄えを損なわず、かつ窓の最大開口面積を狭めずに済む。
【００２８】
＜第２の実施の形態＞
図５〜図７は本発明の第２の実施の形態を示す。図５〜図７において図１、図２及び図４と同一の符号は同一の部品を示す。この実施の形態では、ヒンジ部材６１は、横断面略伏せＣ字状に形成されたヒンジ用被係合部６１ａと、横断面略円形状に形成されたヒンジ用係合部６１ｂとを有する。そして、円形状のヒンジ用係合部６１ｂがＣ字状のヒンジ用被係合部６１ａに回動可能に収容される。また、操作部材６４が、窓側幕体１８の下端中央に垂下された窓側プル操作具６４ａと、室内側幕体１９の下端中央に垂下された室内側プル操作具６４ｂとを有する。窓側プル操作具６４ａは、窓側ウエイトバー２６の長手方向中央に嵌着され、窓側プル操作具６４ａの操作により窓側巻取パイプ５６を正転又は逆転させるように構成される。更に、室内側プル操作具６４ｂは、室内側ウエイトバー２７の長手方向中央に嵌着され、室内側プル操作具６４ｂの操作により室内側巻取パイプ５７を正転又は逆転させるように構成される。このため、一方の支持部材５３、窓側巻取パイプ５６及び室内側巻取パイプ５７の内部構造が、第１の実施の形態の支持部材、窓側巻取パイプ及び室内側巻取パイプの内部構造と異なる。なお、ロールスクリーン５０が天井５１に取付けられるため、第１の実施の形態の壁取付部が不要になり、ブラケット５２は被係止部１２ｃが設けられたバー保持部１２ｂのみからなる。上記以外は第１の実施の形態と同一に構成される。
【００２９】
このように構成されたロールスクリーン５０では、円形状のヒンジ用係合部６１ｂをＣ字状のヒンジ用被係合部６１ａに回動可能に収容したので、光漏れ防止部材２０がヒンジ部材６１を中心にスムーズに回動する。また、窓側幕体１８を窓側プル操作具６４ａを操作して昇降させ、室内側幕体１９を室内側プル操作具６４ｂを操作して昇降させるので、窓側幕体１８及び室内側幕体１９を昇降させるときの操作方法が分かり易い。上記以外の動作は、第１の実施の形態の動作と略同様であるので、繰返しの説明を省略する。
【００３０】
なお、上記第１の実施の形態では、窓側巻取パイプ及び室内側巻取パイプを、一対の支持部材、支持バー及びブラケットを介して壁に回転可能に取付け、上記第２の実施の形態では、窓側巻取パイプ及び室内側巻取パイプを、一対の支持部材、支持バー及びブラケットを介して天井に回転可能に取付けたが、窓側巻取パイプ及び室内側巻取パイプを、一対の支持部材、支持バー及びブラケットを介して窓枠に回転可能に取付けてもよい。また、上記第１及び第２の実施の形態では、窓側幕体を透光可能な幕体とし、室内側幕体を遮光可能な幕体としたが、窓側幕体及び室内側幕体の双方を遮光可能な幕体としてもよい。この場合、室内側幕体の下端縁が繰出し下限位置に達し、かつ窓側幕体の下端縁が巻取り上限位置に達したとき、透光可能な窓側幕体の下方を通過した光が窓側巻取パイプ及び室内側巻取パイプ間の隙間を通って室内に進入しようとしても、この光は光漏れ防止部材及びカバー部により遮られるとともに、室内側巻取パイプの下方から進入しようとする光は遮光可能な室内側幕体により遮られる。更に、上記第１及び第２の実施の形態では、光漏れ防止部材の先端縁近傍が室内側巻取パイプの上面又は室内側巻取パイプに巻取られた室内側幕体の上面にその自重により常に接触するように構成したが、ヒンジ部材に捩りコイルばねや板ばね等を取付けて、光漏れ防止部材をある程度のばね弾性力により室内側巻取パイプの表面又はこの巻取パイプに巻取られた室内側幕体の表面に圧接させてもよい。これにより室内側巻取パイプに巻取られた室内側幕体に多少のシワが発生しても、光漏れ防止部材がこのシワを押し潰して室内側巻取パイプに巻取られた室内側幕体に密着するので、光漏れ防止部材と室内側幕体との間に発生する部分的な隙間を抑制できる。
【符号の説明】
【００３１】
１０，５０  ロールスクリーン
１１  壁
１２，５２  ブラケット
１３，５３  一方の支持部材
１４  他方の支持部材
１５  支持バー
１５ａ  バー本体
１５ｂ  カバー部
１６，５６  窓側巻取パイプ
１７，５７  室内側巻取パイプ
１８  窓側幕体
１９  室内側幕体
２０  光漏れ防止部材
２１，６１  ヒンジ部材
２１ａ，６１ａ  ヒンジ用被係合部
２１ｂ，６１ｂ  ヒンジ用係合部
５１  天井
【図１】
2019143365.tif 000003
【図２】
2019143365.tif 000004
【図３】
2019143365.tif 000005
【図４】
2019143365.tif 000006
【図５】
2019143365.tif 000007
【図６】
2019143365.tif 000008
【図７】
2019143365.tif 000009